(57)【要約】【課題】複数のデジタルホルダから提供されたデジタルコンテンツをそれぞれのコンテンツホルダにとって最適な表示順序で提供することを目的とする。【解決手段】販売サーバ２０は、ホームページに掲載を所望する掲載情報を複数の提供者から受信する。コンテンツホルダ登録部２８は、前記掲載情報と、該提供情報の提供者を識別する提供者識別情報と、を関連付けて格納する。解析部３２は、リンク元情報を取得して解析し、リンク元の提供者ホームページをする。商品掲示部２７は、前記解析結果に基づいて、前記リンク元の提供者ホームページを管理する提供者が提供した掲載情報を前記集合ホームページにおいて優先的に掲載する。【選択図】図２
2007087330.tif 000002
【特許請求の範囲】
【請求項１】
ホームページに掲載を所望する掲載情報を提供するための複数の提供端末装置と、前記複数の提供端末装置から受信した掲載情報を一のホームページ上に掲載した集合ホームページを提供する第一サーバと、前記掲載情報の提供者が管理する提供者ホームページを提供する第二サーバと、前記提供者ホームページから前記集合ホームページへ移動するリンク手段を介して前記集合ホームページにアクセスするユーザ端末装置と、がネットワークを介して接続されたホームページ提供システムであって、
前記各提供端末装置は、前記掲載情報と、前記掲載情報の提供者を識別するための提供者識別情報と、を前記第一サーバに送信する提供端末送信手段を備え、
前記第一サーバは、前記複数の提供端末装置から前記掲載情報と前記提供者識別情報とを受信する第一サーバ受信手段と、
前記掲載情報と前記提供者識別情報とを互いに関連付けて格納する第一格納手段と、
前記集合ホームページへアクセスした前記ユーザ端末装置から、前記集合ホームページにアクセスする前に閲覧をしていた前記提供者ホームページを示すリンク元情報を受信して解析し、リンク元の前記提供者ホームページを特定する解析手段と、
前記解析手段の解析結果に基づいて、前記リンク元の提供者ホームページを管理する提供者から取得した前記掲載情報を前記集合ホームページ上において優先的に掲載する掲載制御手段と、
前記掲載制御手段により前記リンク元の提供者ホームページを管理する提供者の掲載情報が優先的に掲載された集合ホームページファイルを前記ユーザ端末装置に提供する第一提供手段と、を備え、
前記第二サーバは、前記集合ホームページに移動するためのリンク手段を含む提供者ホームページファイルを前記ユーザ端末装置に提供する第二提供手段を備え、
前記ユーザ端末装置は、前記提供者ホームページ及び前記集合ホームページを閲覧及び表示する閲覧手段と、
前記リンク手段を介して前記集合ホームページにアクセスしたときに前記リンク元情報を前記第一サーバに送信するリンク元情報送信手段と、を備える、
ことを特徴とするホームページ提供システム。
【請求項２】
複数の提供者から提供された掲載情報と、前記掲載情報の提供者を識別するための提供者識別情報と、を関連付けて格納する格納手段と、
前記複数の提供者から提供された掲載情報が一のホームページ上に掲載された集合ホームページへアクセスしたユーザ端末装置から、前記集合ホームページにアクセスする前に閲覧をしていた前記提供者が管理する提供者ホームページを示すリンク元情報を受信して解析し、前記リンク元の提供者ホームページを特定する解析手段と、
前記解析手段の解析結果に基づいて、前記リンク元の提供者ホームページを管理する提供者から取得した前記掲載情報を前記集合ホームページ上において優先的に掲載する掲載制御手段と、
前記掲載制御手段により前記リンク元の提供者ホームページを管理する提供者の掲載情報が優先的に掲載された集合ホームページファイルを前記ユーザ端末装置に提供する提供手段と、
を備えることを特徴とするホームページ提供サーバ。
【請求項３】
前記格納手段は、前記掲載情報に含まれる対象を示す対象識別情報を更に関連づけて格納し、
前記提供者ホームページは、前記対象に関する情報を掲載した対象用ホームページであって、
前記リンク元情報には、前記対象用ホームページに掲載された前記対象を特定可能な対象識別情報を含み、
前記解析手段は、受信した前記リンク元情報を解析して前記対象識別情報を抽出し、
前記掲載制御手段は、前記解析手段が抽出した前記対象識別情報に関連づけられた前記掲載情報を前記集合ホームページにおいてより優先的に掲載する、
ことを特徴とする請求項２に記載のホームページ提供サーバ。
【請求項４】
前記提供情報はデジタルコンテンツであり、
前記集合ホームページは、複数の提供者から提供された前記デジタルコンテンツを用いた商品の販売を行う販売ホームページであり、
前記販売ホームページに掲載された商品及びその商品数の指定を含む注文情報を受け付ける注文受付手段と、
前記注文情報に基づいてその注文額を算出する注文額算出手段と、
前記注文額を決済する決済手段と、を更に備える、
ことを特徴とする請求項２または３に記載のホームページ提供サーバ。
【請求項５】
前記提供者は、芸能人、スポーツ選手、又はキャラクターを管理する所属事務所であり、
前記提供情報は、前記芸能人、スポーツ選手、又はキャラクターを撮影した画像ファイルであり、
前記格納手段は、異なる所属事務所が管理する前記芸能人、スポーツ選手、又はキャラクターが参加した同一のイベントを示すイベント情報と、前記芸能人、スポーツ選手、又はキャラクターを前記イベントにおいて撮影した画像ファイルと、前記画像ファイルを管理する所属事務所を識別する事務所識別情報と、を関連づけて格納し、
前記集合ホームページは、前記イベントで撮影された異なる所属事務所が管理する画像ファイルを一のホームページに掲載したイベント用ホームページであり、
前記提供者ホームページは、前記芸能人、スポーツ選手、又はキャラクターに関する情報が掲載された前記所属事務所が管理する事務所ホームページ、又は前記芸能人、スポーツ選手、又はキャラクターの愛好者が閲覧するファン用ホームページである、
ことを特徴とする請求項４に記載のホームページ提供サーバ。
【請求項６】
ホームページに掲載を所望する掲載情報を複数の提供者から受信するステップと、
前記掲載情報と、該提供情報の提供者を識別する提供者識別情報と、を関連付けて格納するステップと、
異なる提供者から受信した掲載情報を一のホームページ上に掲載した集合ホームページを生成するステップと、
前記提供者が管理する提供者ホームページに前記集合ホームページへ移動するためのリンク手段を設けるステップと、
前記リンク手段を介して前記集合ホームページにアクセスされると、リンク元の前記提供者ホームページを示すリンク元情報を取得して解析し、リンク元の前記提供者ホームページを特定するステップと、
前記解析結果に基づいて、前記リンク元の提供者ホームページを管理する提供者から取得した掲載情報を前記集合ホームページにおいて優先的に掲載するステップと、
前記リンク元の提供者ホームページを管理する提供者の掲載情報が優先的に掲載された集合ホームページファイルを前記ユーザ端末装置に提供するステップと、
含むことを特徴とするホームページ提供方法。
【請求項７】
コンピュータに請求項２乃至５にいずれか１項に記載のホームページ提供サーバとしての機能を実現させることを特徴とするホームページ提供プログラム。
【発明の詳細な説明】
【技術分野】
【０００１】
本発明は、ホームページ提供システム、サーバ、方法、及びプログラムに係り、特に、ホームページに掲載する情報の表示状態を制御する技術に関する。
【背景技術】
【０００２】
従来、需要者が画像をアップロードして、オンデマンドで商品の作成を依頼するシステムがある。特許文献１には、自分の画像をアップロードし、その画像をゴルフボールに印刷する技術が開示されている。また、特許文献２には、自分が予め作成した画像をアップロードし、これを用いた商品の作成を依頼する技術が開示されている。更に、特許文献３には、アップロードした画像と品目データとを組み合わせた製品データを作成するシステムが開示されている。このような商品販売サイトにおいて、購入者が商品を選ぶときに閲覧する販売ホームページのどの位置に商品情報が掲載されるかによって、購入者の目に止まる確率が変化し、ひいては売上にも影響がでることが予想される。
【０００３】
上記の点に関し特許文献４には、コンテンツ提供者側の指定した提示順序に従ったコンテンツの一覧表示を実現する技術が開示されている。また、特許文献５には、購入者が所望する商品を検索し、その検索結果を購入者が指定した順序、例えば価格順、あいうえお順、アルファベット順にソートして提示する技術が開示されている。
【特許文献１】特開２００２−２９７９６５号公報
【特許文献２】特開２００４−２０６２８９号公報
【特許文献３】特開２００５−１４１６４０号公報
【特許文献４】特開２００２−１７５３３３号公報
【特許文献５】特開２００２−３１６６１４号公報
【発明の開示】
【発明が解決しようとする課題】
【０００４】
従来のコンテンツビジネスでは、アーチストのブロマイドやアニメーションのキャラクターや各種マスコットをプリントした日用雑貨品などの商品を販売する場合、芸能プロダクションやゲーム会社などのコンテンツ提供者（以下「コンテンツホルダ」という）と製造者及び販売者との間で商品化権の設定契約を行い、製造者及び販売者が販売する商品の需要を予測して生産し、販売していた。そのため、生産数量を上回る購入希望がある場合には品切れとなって機会損失が生じ、逆に購入希望数が生産数量に満たない場合には余剰在庫が生じるリスクを抱えた上でコンテンツビジネスを行う必要があった。 
【０００５】
また、購入者にとっては、プリントされるアーチストの写真やキャラクター、マスコットの絵柄を選ぶことができないという問題があった。
【０００６】
更に、一つのイベントに複数の事務所に所属するアイドルやスポーツ選手が参加し、そのイベントで撮影された画像ファイルからなるデジタルコンテンツを用いた商品をオンデマンドで販売する場合に、複数のコンテンツホルダが存在することがある。この場合、各コンテンツホルダからデジタルコンテンツの提供を受けてそれらをホームページに掲載するときに、それぞれのコンテンツホルダが、自分が所有するデジタルコンテンツをホームページ上のより目立つ位置に表示させたいと希望した結果、ホームページにおけるデジタルコンテンツの表示序列を決定することが困難となるという問題が生じる。
【０００７】
本発明は、上記問題に鑑みてなされたものであり、複数のデジタルホルダから提供されたデジタルコンテンツをそれぞれのコンテンツホルダにとって最適な表示順序で提供することを目的とする。
【課題を解決するための手段】
【０００８】
上記目的を達成するために、ホームページに掲載を所望する掲載情報を提供するための複数の提供端末装置と、前記複数の提供端末装置から受信した掲載情報を一のホームページ上に掲載した集合ホームページを提供する第一サーバと、前記掲載情報の提供者が管理する提供者ホームページを提供する第二サーバと、前記提供者ホームページから前記集合ホームページへ移動するリンク手段を介して前記集合ホームページにアクセスするユーザ端末装置と、がネットワークを介して接続されたホームページ提供システムであって、前記各提供端末装置は、前記掲載情報と、前記掲載情報の提供者を識別するための提供者識別情報と、を前記第一サーバに送信する提供端末送信手段を備え、前記第一サーバは、前記複数の提供端末装置から前記掲載情報と前記提供者識別情報とを受信する第一サーバ受信手段と、前記掲載情報と前記提供者識別情報とを互いに関連付けて格納する第一格納手段と、前記集合ホームページへアクセスした前記ユーザ端末装置から、前記集合ホームページにアクセスする前に閲覧をしていた前記提供者ホームページを示すリンク元情報を受信して解析し、リンク元の前記提供者ホームページを特定する解析手段と、前記解析手段の解析結果に基づいて、前記リンク元の提供者ホームページを管理する提供者から取得した前記掲載情報を前記集合ホームページ上において優先的に掲載する掲載制御手段と、前記掲載制御手段により前記リンク元の提供者ホームページを管理する提供者の掲載情報が優先的に掲載された集合ホームページファイルを前記ユーザ端末装置に提供する第一提供手段と、を備え、前記第二サーバは、前記集合ホームページに移動するためのリンク手段を含む提供者ホームページファイルを前記ユーザ端末装置に提供する第二提供手段を備え、前記ユーザ端末装置は、前記提供者ホームページ及び前記集合ホームページを閲覧及び表示する閲覧手段と、前記リンク手段を介して前記集合ホームページにアクセスしたときに前記リンク元情報を前記第一サーバに送信するリンク元情報送信手段と、を備える、ことを特徴とする。
【０００９】
ここでいう「優先的に掲載する」とは、よりユーザの目につきやすいように掲載情報を表示することをいい、例えば集合ホームページにおける上位位置に掲載したり、他の掲載情報との表示色、表示サイズを変えたりすることがある。
【００１０】
これにより、複数の提供者から提供された掲載情報を一の集合ホームページに掲載する際に、リンク元の提供者ホームページを管理する提供者が提供した掲載情報を優先的に掲載することができる。よって、提供者にとっては、自分の管理する提供者ホームページから集合ホームページにアクセスするときには、自分の掲載情報が優先的に表示され、提供者の表示順ニーズに応じることができる。また、集合ホームページの管理者は、複数の提供者がいる場合にも、従来は各提供者の表示順位にあう集合ホームページを用意しなければ、提供者の表示順ニーズを満たすことができなかったが、本発明によれば、一の集合ホームページにより各提供者の表示順ニーズに答えることができ、集合ホームページの運営コストを下げることができる。
【００１１】
また、本発明に係るホームページ提供サーバは、複数の提供者から提供された掲載情報と、前記掲載情報の提供者を識別するための提供者識別情報と、を関連付けて格納する格納手段と、前記複数の提供者から提供された掲載情報が一のホームページ上に掲載された集合ホームページへアクセスしたユーザ端末装置から、前記集合ホームページにアクセスする前に閲覧をしていた前記提供者が管理する提供者ホームページを示すリンク元情報を受信して解析し、前記リンク元の提供者ホームページを特定する解析手段と、前記解析手段の解析結果に基づいて、前記リンク元の提供者ホームページを管理する提供者から取得した前記掲載情報を前記集合ホームページ上において優先的に掲載する掲載制御手段と、前記掲載制御手段により前記リンク元の提供者ホームページを管理する提供者の掲載情報が優先的に掲載された集合ホームページファイルを前記ユーザ端末装置に提供する提供手段と、を備えることを特徴とする。
【００１２】
これにより、複数の提供者から提供された掲載情報を一の集合ホームページに掲載する際に、リンク元の提供者ホームページを管理する提供者が提供した掲載情報を優先的に掲載することができる。よって、提供者にとっては、自分の管理する提供者ホームページから集合ホームページにアクセスするときには、自分の掲載情報が優先的に表示され、提供者の表示順ニーズに応じることができる。また、集合ホームページの管理者は、一の集合ホームページにより各提供者の表示順ニーズに答えることができ、集合ホームページの運営コストを下げることができる。
【００１３】
また、前記格納手段は、前記掲載情報に含まれる対象を示す対象識別情報を更に関連づけて格納し、前記提供者ホームページは、前記対象に関する情報を掲載した対象用ホームページであって、前記リンク元情報には、前記対象用ホームページに掲載された前記対象を特定可能な対象識別情報を含み、前記解析手段は、受信した前記リンク元情報を解析して前記対象識別情報を抽出し、前記掲載制御手段は、前記解析手段が抽出した前記対象識別情報に関連づけられた前記掲載情報を前記集合ホームページにおいてより優先的に掲載してもよい。
【００１４】
これにより、掲載情報の対象順も加味してより細やかな表示順制御を行うことができる。
【００１５】
また、前記提供情報はデジタルコンテンツであり、前記集合ホームページは、複数の提供者から提供された前記デジタルコンテンツを用いた商品の販売を行う販売ホームページであり、前記販売ホームページに掲載された商品及びその商品数の指定を含む注文情報を受け付ける注文受付手段と、前記注文情報に基づいてその注文額を算出する注文額算出手段と、前記注文額を決済する決済手段と、を更に備えてもよい。
【００１６】
これにより、複数の提供者から出品された商品を一の販売ホームページに掲載するときに、その提供者が管理する提供者ホームページから販売ホームページにアクセスしたときは、該提供者の掲載情報が優先的に表示される。その結果、ユーザの目につく可能性が高くなり、売上増大が期待できる。
【００１７】
また、前記提供者は、芸能人、スポーツ選手、又はキャラクターを管理する所属事務所であり、前記提供情報は、前記芸能人、スポーツ選手、又はキャラクターを撮影した画像ファイルであり、前記格納手段は、異なる所属事務所が管理する前記芸能人、スポーツ選手、又はキャラクターが参加した同一のイベントを示すイベント情報と、前記芸能人、スポーツ選手、又はキャラクターを前記イベントにおいて撮影した画像ファイルと、前記画像ファイルを管理する所属事務所を識別する事務所識別情報と、を関連づけて格納し、前記集合ホームページは、前記イベントで撮影された異なる所属事務所が管理する画像ファイルを一のホームページに掲載したイベント用ホームページであり、前記提供者ホームページは、前記芸能人、スポーツ選手、又はキャラクターに関する情報が掲載された前記所属事務所が管理する事務所ホームページ、又は前記芸能人、スポーツ選手、又はキャラクターの愛好者が閲覧するファン用ホームページであってもよい。
【００１８】
これにより、芸能人、スポーツ選手、又はキャラクターのファン用ホームページからイベント用ホームページにアクセスしたときに、リンク元のファン用ホームページに掲載された芸能人、スポーツ選手、又はキャラクターをより優先的に表示させることができる。
【００１９】
また、本発明に係るホームページ提供方法は、ホームページに掲載を所望する掲載情報を複数の提供者から受信するステップと、前記掲載情報と、該提供情報の提供者を識別する提供者識別情報と、を関連付けて格納するステップと、異なる提供者から受信した掲載情報を一のホームページ上に掲載した集合ホームページを生成するステップと、前記提供者が管理する提供者ホームページに前記集合ホームページへ移動するためのリンク手段を設けるステップと、前記リンク手段を介して前記集合ホームページにアクセスされると、リンク元の前記提供者ホームページを示すリンク元情報を取得して解析し、リンク元の前記提供者ホームページを特定するステップと、前記解析結果に基づいて、前記リンク元の提供者ホームページを管理する提供者から取得した掲載情報を前記集合ホームページにおいて優先的に掲載するステップと、前記リンク元の提供者ホームページを管理する提供者の掲載情報が優先的に掲載された集合ホームページファイルを前記ユーザ端末装置に提供するステップと、含むことを特徴とする。
【００２０】
また、本発明に係るホームページ提供プログラムは、コンピュータに請求項２乃至５にいずれか１項に記載のホームページ提供サーバとしての機能を実現させることを特徴とする。
【発明の効果】
【００２１】
本発明によれば、複数のデジタルホルダから提供されたデジタルコンテンツをそれぞれのコンテンツホルダにとって最適な表示順序で提供することができる。
【００２２】
コンテンツホルダは、自分が保有するデジタルコンテンツを、商品販売サーバにアップロードする又はその商品販売サーバの運営者に提供するだけで、機会損失や余剰在庫の発生というリスクを抱えることなく、商品の販売し、その還元金が受け取れる。そのため、コンテンツホルダにとっては、商品の売り上げによる収益に応じたシステム利用料を払うだけでコンテンツビジネスを行うことができ、自らコンテンツの販売システムを構築したり、商品を準備したり、同等の機能を持つシステムを借用したりするコストリスクを回避しつつ、より多くの収益機会を得ることができる。また、還元金を受け取るという態様により、上記システム利用料を商品販売サーバの運営者に支払っているという意識を持たせることなく、運営者はシステム利用料を回収することができる。更に、購入者にとっては、自分の好みに合った商品を発注することができる。
【発明を実施するための最良の形態】
【００２３】
以下添付図面に従って本発明を適用した商品販売システム、サーバ、方法、プログラムの好ましい実施の形態について詳説する。
【００２４】
＜第一実施形態＞
[システムの概略構成]
図１は、本発明に係る商品販売システム１を用いたコンテンツビジネスの概要を示す概要図である。コンテンツビジネスは、コンテンツホルダであるアーチストの所属事務所ＣＰｘ、ＣＰｙと、所属事務所ＣＰｘ、ＣＰｙに所属するアーチストＣＰｘ１、ＣＰｘ２、ＣＰｙ１、ＣＰｙ２の画像ファイル（デジタルコンテンツに相当する）を用いたフォトグッズの販売を行う販売サーバ２０を運営管理する販売者と、所属事務所ＣＰｘ、ＣＰｙと代理契約してコンテンツビジネスを行う代理店と、フォトグッズの購入者４０Ａ、Ｂと、商品の製造を行う製造者との間で行われる。販売者と製造者とは同一でもよい。また、代理店は必須ではなく、コンテンツホルダが直接販売者及び購入者との間でコンテンツビジネスを展開してもよい。
【００２５】
なお、ここでいうコンテンツホルダとは、デジタルコンテンツの所有者のことをいい、上記アーチストの所属事務所の他、デジタルコンテンツがスポーツ選手を撮影したデジタル画像である場合にはそのスポーツ選手が所属する球団やチームであり、スポーツ大会の主催者（例えば、自動車レースやバイクレースの主催者）であり、キャラクターのデジタル画像である場合はそのキャラクターの商品化権やアニメーションの版権を有している権利者でもよい。また、コンテンツホルダは、個人であってもよい。
【００２６】
代理店とは、コンテンツホルダに代わってコンテンツビジネスを行うものであればよく、例えば上述のアーチストのコンサートツアーやスポーツ観戦ツアーを企画・運営する旅行代理店やチケット販売業者などがある。
【００２７】
コンテンツホルダＣＰｘ、ＣＰｙは、代理店にデジタルコンテンツを渡す。本実施形態では、デジタルコンテンツとして画像ファイルを用いるが、動画、音声であってもよい。
【００２８】
図１に基づいて本商品販売システム１を用いて発注準備から納品するまでの流れを説明する。
【００２９】
代理店は、画像ファイルを販売サーバ２０に送信する（１）。販売者は、商品販売の準備が整ったら、販売サーバ２０の商品販売ホームページ（以下「商品販売ＨＰ」という）に画像を掲載する。
【００３０】
購入者は、商品販売ＨＰに掲載された画像を見て、その画像を用いた商品と数量を指定し、注文する（２）。販売サーバ２０は、注文確認メールを購入者に送信するとともに、コンテンツホルダ及び代理店に対しても注文確認メールを購入者から見えない状態（Blind Carbon Copy）で送信する（３）。注文確認メールは、更に製造者に送信してもよい。
【００３１】
販売サーバ２０は、注文データと、その注文データに含まれる画像のＵＲＬとを含む注文データを、画像をプリントした商品（フォトグッズ）の製造者に送信する（４）。製造者は、画像を販売サーバ２０からダウンロードし、注文データに応じて生産処理を行う（５）。できた商品は、購入者が指定した届け先に配送される（６）。コンテンツホルダ（７）には、売上金額に応じた還元金が支払われる（７）。
【００３２】
図１では、コンテンツホルダはＣＰｘ、ＣＰｙの二つを記載したが、コンテンツホルダは二つに限らず、更に存在してもよい。
【００３３】
図２は、図１のコンテンツビジネスで使用される商品販売システム１の概要を示すブロック図である。
【００３４】
商品販売システム１は、コンテンツホルダＣＰｘ、ＣＰｙ又は代理店が操作する提供者端末装置１０ａ、１０ｂと、販売サーバ２０と、購入者が操作する購入者端末装置４０ａ、４０ｂと、製造者が操作する製造者端末装置５０と、コンテンツホルダが運営するファンホームページのファイルが格納されたファンサイト６０と、がインターネット２により互いに接続される。提供者端末装置１０ａ、１０ｂは、画像ファイルを送信したり販売サーバ２０からメールを受信したりするための通信部１１と、ホームページを閲覧するためのＷｅｂブラウザ１２及び表示部１３と、コンテンツホルダの識別情報や価格情報を入力するための操作部１４とを備える。以下の説明では、コンテンツホルダが代理店を介さず直接コンテンツビジネスを展開する態様として説明する。よって提供者端末装置１０ａ、１０ｂの操作主体はコンテンツホルダＣＰｘ、ＣＰｙである。
【００３５】
販売サーバ２０は、画像ファイルを受信したり、メールを送信したりするための通信部２１と、受信した画像ファイルを登録し格納するための画像登録部２２と、画像ファイルをプリント可能な商品の品種や数量、価格、販売及び値引ルールを管理する販売商品管理部２３と、購入者端末装置４０ａ、４０ｂから受信した注文データや購入者の個人情報を管理する注文データ管理部２４と、注文データに基づいて注文額を算出し、決済するための決済部２５と、コンテンツホルダへの還元金を算出して還元処理する還元部２６と、画像ファイルやその画像ファイルをプリント可能な商品を商品販売ＨＰ上に掲載するための商品提示部２７と、コンテンツホルダの情報を登録し格納するためのコンテンツホルダ登録部２８と、注文情報に基づいて製造データを生成するための製造データ生成部２９と、商品提示部２７が提示した画像ファイルや商品の中から所望するものを検索するための検索部３０と、所定時間内に所定件数以上の販売サーバ２０へのアクセスがあった場合にアクセス制限を行うためのアクセス制限部３１と、購入者端末装置４０が商品販売ＨＰにアクセスしたときにどのサイトを経由してアクセスしたかを示すリンク元情報を取得して、リンク元のホームページの管理者及びリンク元のホームページに掲載された対象を特定する解析部３２と、を備える。
【００３６】
上記注文データには、商品販売ＨＰ１００上に提示された複数のデジタルコンテンツのうち、購入者が選択したデジタルコンテンツ、及びそのデジタルコンテンツを用いた商品及びその数のほか購入者情報が含まれる。
【００３７】
上記注文データ管理部２４は、以前購入した、または購入していなくても本販売システム１の利用者として登録された購入者情報も管理・登録する。そして、受信した注文データに含まれる購入者情報と既に登録された購入者情報とを比較して認証を行う。
【００３８】
販売商品管理部２３は、認証済みのコンテンツホルダから送られた価格情報に基づいて価格の設定・更新や、値引を含む販売ルールの設定・更新を行う。また、商品の限定販売数を設定するなどの販売ルールの登録も行い、販売数の管理を行う。
【００３９】
リンク元情報は、商品販売ＨＰ１００の上位位置にどの画像を掲載するかを決定するために使用される情報である。
【００４０】
図３は、このリンク元情報の例を示す模式図である。（ａ）は、これにコンテンツホルダを特定するための提供者識別情報を含む場合、（ｂ）は対象識別情報を含む場合を示す。本実施形態では、販売サーバ２０の運営者が、コンテンツホルダＣＰｘ、ＣＰｙから提供された各画像毎に、画像ファイルとコンテンツホルダの識別情報及びアーチストの識別情報を付加したＵＲＬ（UniformResource Locator）を生成し、このＵＲＬをリンク元情報として使用する。図３は、このＵＲＬの構造を示す模式図である。図３（ａ）、（ｂ）において、文字列
「http://example.xxx.co.jp/event1/画像１.jpg」
は、画像１のＵＲＬを示す。このうち、「イベント１」は、この画像がグルーピングされるイベントを示すものであり、画像１が撮影されたイベントを示すものである。また、文字列「?」及び「&」は、それぞれファイル名と引数の間及び引数間の区切りを示す文字である。図３（ａ）では、引数としてコンテンツホルダの識別情報ｉｄを示す「ｉｄ」を含み、図３（ｂ）では、更に引数としてアーチストの識別情報ｉｄを示す「ｉｄ２」を含む。
【００４１】
解析部３２は、購入者端末装置４０ａ、４０ｂから受信したリンク元情報を解析し、リンク元情報に含まれるコンテンツホルダ識別情報及びアーチスト識別情報を抽出する。そして、抽出した結果を、商品掲示部２７に出力する。
【００４２】
商品掲示部２７は、画像登録部２２を検索し、解析部３２から取得コンテンツホルダ識別情報及びアーチスト識別情報と関連づけられた画像ファイルを商品販売用ＨＰ１００の上位位置に掲載し、その商品販売用ＨＰ１００を購入者端末装置４０ａ、４０ｂに送信する。
【００４３】
上記通信部２１、画像登録部２２、販売商品管理部２３、注文データ管理部２４、決済部２５、還元部２６、商品提示部２７、コンテンツホルダ登録部２８、製造データ生成部２９、検索部３０、アクセス制限部３１、解析部３２は、これらの機能を実現するためのプログラムにより構成され、販売サーバ２０のメモリに適宜ロードされてＣＰＵにより実行されることにより機能を実現する。
【００４４】
購入者端末装置４０ａ、４０ｂは、メールの送受信等を行うための通信部４１と、ホームページを閲覧するためのＷｅｂブラウザ４２及び表示部４３と、注文情報を入力するための操作部４４と、を備える。
【００４５】
製造者端末装置５０は、メールの送受信等を行うための通信部５１と、ホームページを閲覧するためのＷｅｂブラウザ５２及び表示部５３と、操作部５４と、を備える。
【００４６】
ファンサイト６０は、画像ファイルに含まれるアーチスト、スポーツ選手、キャラクター、マスコットなどのファンが閲覧するファンホームページ（以下「ファンＨＰ」という）のファイルを格納し、購入者端末装置４０ａ、４０ｂの要求に応じてファイルデータを送受信するファンＨＰ掲載部６１を備える。
【００４７】
次に図４に基づいて処理の流れを説明する。図４は、商品販売システム１の処理の流れを示すフローチャートである。図５は、Ｓ１の準備処理の流れを示すフローチャートである。
【００４８】
（ステップＳ１）
販売者は、コンテンツホルダから画像ファイルの提供を受け、画像ファイルをアップする準備を行う（Ｓ１）。図５に本ステップの処理の流れを示す。
【００４９】
Ｓ１０１では、コンテンツホルダの登録を行う（Ｓ１０１）。図６に、コンテンツホルダ登録画面８０の例を示す。コンテンツホルダ登録部２８は図６のコンテンツホルダ登録画面を提示する。コンテンツホルダ登録画面８０にはコンテンツホルダの「名前」、「住所」、「（電子）メール（アドレス）」、「リンク先ＨＰ（ファン用ＨＰ）のＵＲＬ」、「振込口座」、「ＩＤ」、「パスワード」等のコンテンツホルダ情報の入力欄が設けられる。コンテンツホルダは、操作部１４により所定事項を記入し、通信部１１を介して販売サーバ２０に送信する。受信した情報はコンテンツホルダ登録部２８により登録・格納する。また、各コンテンツホルダは、商品の販売額に対する還元金（利益分配金）についての規約も登録する。図７に還元金登録画面８１の例を示す。還元金登録画面８１には、コンテンツホルダの取り分を入力する。また、還元金登録画面８１には、還元金の支払い実績がある場合にはこれも表示する。
【００５０】
Ｓ１０２では、コンテンツホルダが、提供者端末装置１０ａ，１０ｂから提供する画像ファイルを販売サーバ２０に送信し、通信部２１が受信する。販売サーバ２０の画像登録部２２は、受信した画像ファイルと、その画像ファイルを提供したコンテンツホルダとを関連づけて登録・格納する（Ｓ１０２）。図８は、画像登録画面８２の画面表示例を示す。画像登録画面８２には、画像ファイルの指定欄８２ａと、８２ａで指定した画像ファイルを撮影したイベントを特定するためのイベント識別番号を入力するための入力欄８２ｂと、８２ａで指定した画像に関連づけるコンテンツホルダを特定するためのコンテンツホルダ識別ｉｄを入力するための入力欄８２ｃと、画像に含まれるアーチストを特定するためのアーチスト識別ｉｄを入力するための入力欄８２ｄと、８２ａで指定した画像ファイルのＵＲＬを入力するためのＵＲＬ入力欄８２ｅとが設けられる。ＵＲＬ入力欄８２ｅは、販売サーバ２０の運営者が手入力してもよいし、入力欄８２ｂ、８２ｃ、８２ｄの入力情報に基づいて自動的にＵＲＬを生成し、その結果を表示させるように構成してもよい。イベント識別番号が同一であれば、異なるコンテンツホルダから提供された画像も同一のイベントグループとして格納される。
【００５１】
販売サーバ２０の運営者は、コンテンツホルダＣＰｘ，ＣＰｙから提供されたすべての画像について、その画像に対応したＵＲＬを生成する。
【００５２】
Ｓ１０３では、１つの画像に対して複数品種の商品を設定し登録する（Ｓ１０３）。販売商品管理部２３は、Ｓ１０２で受信した画像ファイルごとに設定された商品と販売額を登録する。図９は、販売商品管理部２３により設定登録される商品を示す商品登録画面８４の一例である。「画像１」に対して「Ｌプリント  ２００円」「ポスター  １００００円」「Ｔシャツ  ５０００円」など複数品種の商品が登録される。
【００５３】
Ｓ１０４では、販売ルールが設定される（Ｓ１０４）。図１０は、販売商品管理部２３により表示される商品の販売ルール登録画面８５の一例である。販売ルールには、売上即ち注文額が所定金額以上の場合に適用する割引率を設定したり、Ｓ１０３で登録した商品の最大販売数量（限定数）を設定したりすることが含まれる。更に、限定販売される商品には、シリアル番号を付与するとの付加価値ルールを設定してもよい。また送料を無料にする注文金額の下限値を設定してもよい。
【００５４】
販売ルールの設定は、販売者が行ってもよいし、コンテンツホルダが提供者端末装置１０を介して販売ルール登録画面８５を取得し、設定してもよい。この場合、不正な者による販売ルールの設定を防ぐために、認証されたコンテンツホルダのみに販売ルールの設定を許可する。具体的には、コンテンツホルダに、そのコンテンツホルダを固有に識別するための識別情報（例えば、コンテンツホルダのＩＤとパスワードなど）を入力させ、提供者端末装置１０から販売サーバ２０に送信する。そして、販売商品管理部２３がコンテンツホルダ登録部２８を参照し、適正なコンテンツホルダであるか否かを判断し、コンテンツホルダを認証する。そして、認証が許可されたコンテンツホルダに対してのみ販売ルール登録画面８５での入力を許可するように構成する。
【００５５】
（ステップＳ２）
商品提示部２７は、販売商品管理部２３を参照し、販売商品管理部２３に登録された商品を商品販売ＨＰに掲載する（Ｓ２）。
【００５６】
（ステップＳ３）
ファンＨＰ６３に、商品販売ＨＰへ移動するためのリンクを設定する（Ｓ３）。販売サーバ２０は、一つのアーチストに対し、そのアーチストが撮影された画像ファイルのＵＲＬを送信する。複数の画像ファイルがある場合には、そのアーチストが撮影されたいずれか一つの画像ファイルに対応したＵＲＬを送ればよいが、最も購入者にとって価値があると思われる画像ファイルのＵＲＬを選択して送信してもよい。コンテンツホルダは、自分が管理するファンＨＰ６３に販売サーバ２０から取得したそのアーチストの画像のＵＲＬを指定するためのリンクボタン６２を設定する。
【００５７】
（ステップＳ４）
購入者は、ファンサイト６０にアクセスし、購入者端末装置４０はファンＨＰ掲載部６１からファンＨＰ６３のファイルを取得し、表示する（Ｓ４）。図１１は、本ステップの内容を示す画面遷移図である。図１１ファンＨＰ６３は、アーチスト「富士太郎」（アーチスト識別番号はＣＰｘ１である）のファンＨＰ６３である。この富士太郎のファンＨＰ６３には、リンクボタン６２が備えられている。
【００５８】
（ステップＳ５）
購入者がリンクボタン６２をクリックし、商品販売ＨＰ１００へ移動する指示を購入者端末装置４０に入力する（Ｓ５）。購入者端末装置４０のＷｅｂブラウザ４２は図３（ａ）または（ｂ）に示すリンク元情報に基づいて表示させるホームページの更新要求を販売サーバ２０に送信する。
【００５９】
（ステップＳ６）
販売サーバ２０の解析部３２は、リンク元情報を受信して解析し、リンク元情報に含まれる「コンテンツホルダ識別ｉｄ」及び「対象識別ｉｄ」を抽出し、商品掲示部２７に出力する。商品掲示部２７は、画像登録部２２に格納された画像ファイルに関連づけられた「コンテンツホルダｉｄ」及び「アーチストｉｄ」と、抽出された「コンテンツホルダｉｄ」及び「アーチストｉｄ」とを比較し、商品販売ＨＰ１００における掲載順序を決定する。リンク元情報に「コンテンツホルダｉｄ」及び「アーチストｉｄ」が含まれているときには、まず「アーチストｉｄ」が一致する画像ファイルを優先して商品販売ＨＰ１００におけるより上位の位置に掲載する。次に、「アーチストｉｄ」が一致しなくても「コンテンツホルダｉｄ」が一致する画像ファイルを掲載する。更に、商品販売ＨＰ１００に掲載スペースが残っている場合には、同じ「イベント１」の階層下にある他の「コンテンツホルダｉｄ」が関連づけられた画像ファイルを掲載してもよい。又は、他の「コンテンツホルダｉｄ」が関連づけられた画像ファイルは掲載し内容に構成してもよい（Ｓ６）。
【００６０】
上記では、掲載順序の決定に際し、より上位の位置に掲載するとしたが、購入者がより目を引く態様で掲載するようにしてもよい。例えば、「アーチストｉｄ」及び「コンテンツホルダｉｄ」が一致した画像を第一の大きさで掲載し、「コンテンツホルダｉｄ」のみが一致した画像を第一の大きさよりも小さい第二の大きさで掲載し、「アーチストｉｄ」及び「コンテンツホルダｉｄ」が一致しない画像ファイルは第二の大きさよりも小さい画像で掲載する又は掲示しないとしてもよい。また点滅させて掲載させたり、表示色を代えたりして掲載してもよい。
【００６１】
また、アーチストｉｄは必須ではなく、図３（ａ）のようにコンテンツｉｄのみを関連づけていてもよい。この場合、あるコンテンツホルダが管理するファンサイトからジャンプして商品販売用ＨＰ１００にアクセスすると、そのコンテンツホルダの所属事務所に所属するアーチストの画像が上位の位置に掲載される。
【００６２】
（ステップＳ７）
購入者端末装置４０の表示部４３に、Ｓ９で掲載制御された商品販売ＨＰ１００が表示される（Ｓ７）。この商品販売ＨＰ１００では、購入者端末装置４０が直前まで閲覧していたファンＨＰ６３に掲載されていたアーチストの画像ファイルがより上位の位置に掲載されている。図１１は、本ステップで表示される商品販売ＨＰ１００のトップ画面１００Ａを示す。移動先の商品販売ＨＰ１００のトップ画面１００Ａには、「富士太郎」のサムネイル画像１０１、１０２、…が上位位置に表示される。
【００６３】
（ステップＳ８）
購入者は、所望する画像及び商品を選択する（Ｓ８）。この選択に際しては、購入者は、所望する画像、商品を探すための検索条件を購入者端末装置４０から販売サーバ２０へ送信し、検索部３０により、その検索条件に合う画像、商品を抽出して表示させてもよい。
【００６４】
図１２は、本ステップの内容を示す画面遷移図である。購入者は、商品販売ＨＰ１００のトップ画面１００Ａに表示された富士太郎のサムネイル画像１０１、１０２、…のうち、所望する画像をクリックして選択すると、その画像が拡大表示された商品選択画面１００Ｂへ遷移する。画像１０３は、サムネイル画像１０２を拡大表示した画像である。次に、購入者は、拡大表示された画像を用いた商品を選択する。商品選択画面１００Ｂには商品選択欄１０４が備えられる。商品提示部２７は、販売商品管理部２３を参照し、この画像１０３に関連づけられた商品を商品選択欄１０４にプルダウンメニューで表示する。一つの画像１０３に対しては、複数品種の商品が表示される。商品の例として、画像１０３をプリントした「生写真」、「オリジナルグッズ」、「マグカップ」、「カレンダー」、「写真パネル」、「額付写真」がある。更に、「生写真」を選んだ場合には、その写真のサイズを選択できる。サイズの例として「Ｌサイズ」、「２Ｌサイズ」、「ポストカード」、「ワイド４切」、「Ａ３サイズ」、「Ａ２サイズ」、「Ａ１サイズ」がある。購入者は、商品選択欄１０４のメニューの中から所望する商品をクリックして選択する。注文データ管理部２４は、購入者が選択した注文情報を記録する。
【００６５】
（ステップＳ９）
購入者は、Ｓ８で選択した商品の注文を行う（Ｓ９）。図１３乃至１４は、本ステップで表示される画面遷移図である。購入者が商品選択画面１００Ｂで商品を選択し、カートボタン１０５をクリックすると、選択した商品が表示され、かつその商品の数量の指定欄１０６が表示された数量指定画面１００Ｃに遷移する。数量が指定されると、決済部２５は注文額を算出し数量指定画面１００Ｃにおいて表示する。購入者が、数量指定画面１００Ｃに備えられた購入ボタン１０７をクリックすると、購入するために必要な個人情報を記載するための個人情報入力画面１００Ｄに遷移する。
【００６６】
個人情報入力画面１００Ｄでは、既に購入履歴がある購入者に対しては電子メールアドレスとパスワードを入力させる。購入者が電子メールアドレスとパスワードが入力し、次画面ボタン１０８をクリックすると、注文データ管理部２４は、登録された購入者の個人情報と照合し、認証できたら支払方法選択画面１００Ｈへ遷移する。認証できなければエラー表示する。
【００６７】
初回の購入者に対しては、個人情報入力画面１００Ｄ〜１００Ｈで個人情報の入力をさせる。個人情報入力画面１００Ｄで「初めての利用」を選択し電子メールアドレスの入力をし、次画面ボタン１０８がクリックされると、セキュリティ保護画面１００Ｅに遷移する。セキュリティ保護画面１００Ｅでは、セキュリティ保護のメッセージ１０９と「次へ」ボタン１０９ｂが表示される。「次へ」ボタン１０９ｂをクリックすると個人情報登録画面１００Ｆに遷移する。
【００６８】
個人情報登録画面１００Ｆでは、購入者の「氏名」、「パスワード」、「郵便番号」、「住所」、「電話番号」などの個人情報を入力させる。個人情報登録画面１００Ｇは、個人情報の入力を行った状態を示す画面である。個人情報の入力が済むと、購入者は次画面ボタン１１０をクリックし、支払方法選択画面１００Ｈ、届け先入力画面１００Ｉ、届け先変更画面１００Ｊに順次遷移する。購入者は、支払方法選択画面１００Ｈで、「代引き」か「クレジット決済」かの決済方法を選択する。「代引き」を選択すると、届け先入力画面１００Ｉへ遷移する。届け先入力画面１００Ｉでは、商品の配送先として購入者の住所が確認のため表示される。「クレジット決済」を選択した場合には、届け先変更画面１００Ｊに遷移し、購入者住所とは異なる住所を入力することによりこの異なる住所への配達が可能にある。上記で入力された情報は、注文データ管理部２４が登録し、格納する。
【００６９】
（ステップＳ１０）
販売商品管理部２３は、Ｓ９で選択された商品に限定販売ルール設定されているか否かを判断する。限定販売設定があればＳ１１へ、なければＳ１２ヘ進む。
【００７０】
（ステップＳ１１）
販売商品管理部２３が限定販売処理を行う（Ｓ１１）。図１６に基づいて限定販売の処理の流れを説明する。
【００７１】
Ｓ１１０１では、Ｓ８で選択された商品の現在までの累計販売個数（「現在の販売個数」という）が限定設定個数よりも小さいか否かを判断する。「Ｙｅｓ」であればＳ１１０２へ進み、「Ｎｏ」であればＳ１１０３へ進む。
【００７２】
Ｓ１１０２では、販売商品管理部２３が販売を許可するとともに、累計販売個数を「１」インクリメントする。販売商品管理部２３は、限定商品情報を表示する。図１７は、限定商品の販売数と現時点における残数を表示した限定販売画面１６０の表示例である。この限定販売画面１６０では、「富士太郎」の生写真の限定数１６１として「５０枚限り」と表示され、現時点での残数１６２として「５０枚」と表示される。すなわち、限定販売画面１６０は今のところ売り上げがないことを示している。
【００７３】
Ｓ１１０３では、販売商品管理部２３が限定販売を終了した旨の表示を行う。
【００７４】
Ｓ１１０４では、製造データ生成部２９が、選択された商品にシリアル番号付与が設定されている場合にはシリアル番号を合成し、さらにシリアル番号を「１」インクリメントする。シリアル番号が設定されている場合には、商品にシリアル番号を付す。例えば、上述の例では、図１８に示すように富士太郎の生写真１７０の表面にシリアル番号１７１として「１／５０」が表示される。シリアル番号は、通常、番号が少ないほど価値が高い。このように、シリアル番号を付与することにより、デジタルコンテンツを用いた商品に付加価値を付与して販売することができる。
【００７５】
（ステップＳ１２）
販売商品管理部２３は、値引処理があるか否かを判断する（Ｓ１２）。「Ｙｅｓ」であればＳ１３へ進み、「Ｎｏ」であればＳ１４へ進む。
【００７６】
（ステップＳ１３）
販売商品管理部２３は、値引情報を商品販売ＨＰ１００に掲載する（Ｓ１３）。図１９は、本ステップで表示される画面遷移図である。
【００７７】
販売商品管理部２３は、販売ルールを参照し、購入者に対し更なる購入を促すための割引メッセージを表示する。割引メッセージの例には、例えば「○○円お買い物されると総額１０％割引となります」や「○○円以上は送料無料です」というメッセージがある。図１９では最終確認画面１００Ｋに「６５００円以上送料無料！」というメッセージが表示される。購入ボタン１１２がクリックされると最終的な発注が確定し、注文データ管理部２４が注文情報を登録する。最終確認画面１００Ｋには、利用規約も表示する。クレジット決済の場合はクレジット決済画面１００Ｌに遷移する。
【００７８】
（ステップＳ１４）
決済部２５が決済する（Ｓ１４）。決済部２５が、クレジット決済画面１００Ｌを表示させ、決済に使用するクレジットカード情報の入力を促す。購入者が所定事項を記入して支払ボタン１１３をクリックすると決済処理が行われる。
【００７９】
（ステップＳ１５）
Ｓ８で選択した商品の製造、発送を行う（Ｓ１５）。製造データ生成部２９は、Ｓ１４で決済された注文に沿った製造データを生成し、通信部２１を介して製造者端末装置５０に送信する。製造データ生産部２９は、Ｓ１１で限定販売情報を含む生成した製造データがあればその製造データも合わせて送信する。さらに、コンテンツホルダが使用する提供者端末装置１０ａ、１０ｂに対しても注文データを転送する。これにより、コンテンツホルダは、どの商品がどの値段で販売されたかを知ることができる。なお注文データと製造でデータとを同一に生成し、注文データをコンテンツホルダ及び製造者に転送してもよい。
【００８０】
図２０は、製造データ生成部２９が製造者端末装置５０に送信する電子メール例である。電子メールには、購入者情報１９０と注文データ１９１とが含まれる。注文データ１９１には、購入者が選択した画像ファイルの場所を示すＵＲＬ１９２が記載される。製造者はこのＵＲＬ１９２から画像ファイルをダウンロードして、商品にプリントする処理を行う。製造された商品は購入者情報１９０に含まれる配送先に発送される。画像のＵＲＬ１９２を添付する代わりに、その画像ファイルを送信してもよい。製造者端末装置５０は、受信した電子メールに基づいて注文された商品を自動的に製造するように構成してもよい。
【００８１】
（ステップＳ１６）
還元部２６は、コンテンツホルダ登録部２８及び注文データ管理部２４を参照し、売上に応じた還元金を算出し、コンテンツホルダに送金する（Ｓ１６）。
【００８２】
上記実施形態に係る商品販売システムを用いた動作を図２１乃至図２３を用いて説明する。
【００８３】
図２１は、コンテンツホルダＣＰｘ、ＣＰｙ、販売サーバ２０の間の動作の流れを示すシーケンス図であり、図２２は、購入者４０Ａ、Ｂ、販売サーバの間の動作の流れを示すシーケンス図である。
【００８４】
ステップＳ２１０１では、コンテンツホルダＣＰｘは、提供者端末装置１０ａを用いて画像１、画像２を販売サーバ２０に送信（アップロード）する（Ｓ２１０１）。
【００８５】
ステップＳ２１０２では、販売サーバ２０が画像１、２を受信する（Ｓ２１０２）。
【００８６】
ステップＳ２１０３では、販売サーバ２０の運営者が画像1、お及び２に対応するＵＲＬを生成する。
（画像１）
http://example.co.jp/event1/画像1.jpg?id=“CPx”& id2=“CPx1”
（画像２）
http://example.co.jp/event1/画像2jpg?id=“CPx”& id2=“CPx2”
ステップＳ２１０４では、Ｓ２１０３で生成したＵＲＬをコンテンツホルダＣＰｘが受信する（Ｓ２１０４）。
【００８７】
ステップＳ２１０５では、コンテンツホルダＣＰｘが、自らが管理・運営する各アーチストに対応したファンサイトに、Ｓ２１０４で受信したそのアーチストが撮影された画像ファイルのＵＲＬをリンクボタンに組み込んで添付する（Ｓ２１０５）。
【００８８】
ステップＳ２１０６では、コンテンツホルダＣＰｘとは異なるＣＰｙが、提供者端末装置１０ｂを用いて画像３、画像４を販売サーバ２０に送信（アップロード）する（Ｓ２１０６）。
【００８９】
ステップＳ２１０７では、販売サーバ２０が画像３、４を受信する（Ｓ２１０７）。
【００９０】
ステップＳ２１０８では、販売サーバ２０のサイト運営者が画像３、４に対応したＵＲＬを生成する（Ｓ２１０７）。
（画像３）
http://example.co.jp/event1/画像3jpg?id=“CPy& id2=“CPy1”
（画像４）
http://example.co.jp/event1/画像4jpg?id=“CPy”& id2=“CPy2 
これにより、画像3は、コンテンツホルダＣＰyが有する画像ファイルであって、画像ファイルの対象となるアーチストはＣＰｙに所属するＣＰy1であるという情報を関連づけることができる。同様に、画像４は、ＣＰｙに所属するアーチストＣＰy2の画像ファイルであることを関連づけることができる。
【００９１】
ステップＳ２１０９では、Ｓ２１０８で生成したＵＲＬをコンテンツホルダＣＰｙが受信する（Ｓ２１０９）。販売サーバ２０は、一つのアーチストに対し、一つの画像ファイルのＵＲＬを送信する。
【００９２】
ステップＳ２１１０では、コンテンツホルダＣＰｙが、Ｓ２１０９で受信したそのアーチストが撮影された画像ファイルのＵＲＬをリンクボタンに組み込んで添付する（Ｓ２１１０）。
【００９３】
次に図２２に基づいて、購入者が上記リンクボタンを介して販売サーバ２０の商品販売ＨＰ１００にアクセスしたときの処理を説明する。
【００９４】
Ｓ２２０１では、購入者４０Ａが購入者端末装置４０ａを操作してアーチストＣＰｘ１のファンＨＰを閲覧する（Ｓ２２０１）。
【００９５】
Ｓ２２０２では、購入者４０ＡがアーチストＣＰｘ１のファンＨＰのリンクボタンをクリックする（Ｓ２２０２）。このリンクボタンには、アーチストＣＰｘ１の画像ファイル１を示すＵＲＬが組み込まれている。
【００９６】
Ｓ２２０３では、解析部３２がアーチストＣＰｘ１の画像ファイル１を示すＵＲＬを取得し、アーチストＣＰｘ１に関連づけられた画像を商品販売ＨＰ１００の上位位置に掲載し、次にアーチストＣＰｘ１が所属する事務所のアーチストの画像を掲載する。
【００９７】
Ｓ２２０４では、Ｓ２２０３で掲載順序が決定された商品販売ＨＰ１００が購入者端末装置４０ａに表示される。図２３（ａ）は、Ｓ２２０４で表示される商品販売ＨＰ１００を示す。アーチストＣＰｘ１の画像１が最上位位置に掲載され、次にアーチストＣＰｘ１と同じ事務所に所属するアーチストＣＰｘ２の画像が表示される。そのあと、他の事務所に所属するアーチストの画像が表示される。これらの画像は、「event１」で表されるイベントで撮影された画像である。
【００９８】
Ｓ２２０５では、購入者４０Ｂが購入者端末装置４０ｂを操作してアーチストＣＰｙ１のファンＨＰを閲覧する（Ｓ２２０５）。
【００９９】
Ｓ２２０６では、購入者４０ＢがアーチストＣＰｙ１のファンＨＰのリンクボタンをクリックする（Ｓ２２０６）。このリンクボタンには、アーチストＣＰｙ１の画像ファイル３を示すＵＲＬが組み込まれている。
【０１００】
Ｓ２２０７では、解析部３２がアーチストＣＰｙ１の画像ファイル１を示すＵＲＬを取得し、アーチストＣＰｙ１に関連づけられた画像を商品販売ＨＰ１００の上位位置に掲載し、次にアーチストＣＰｙ１が所属する事務所のアーチストの画像を掲載する。
【０１０１】
Ｓ２２０８では、Ｓ２２０７で掲載順序が決定された商品販売ＨＰ１００が購入者４０Ｂ操作する購入者端末装置４０ｂに表示される。図２３（ｂ）は、Ｓ２２０８で表示される商品販売ＨＰ１００を示す。アーチストＣＰｙ１の画像１が最上位位置に掲載され、次にアーチストＣＰｙ１と同じ事務所に所属するアーチストＣＰｙ２の画像が表示される。そのあと、他の事務所に所属するアーチストの画像が表示される。
【０１０２】
上記実施形態によれば、複数のコンテンツホルダが混在するイベントの写真グッズを販売する際、同一サイトにも関わらず、それぞれのリンク元にとっては、それぞれのアーチストがトップに表示された商品販売ＨＰを提供することができる。これにより、商品販売システムの運営者は、それぞれのコンテンツホルダの表示順ニーズに対応しつつ、運営コストを１／ｎ（ｎ：コンテンツホルダ数）で運営できる。
【０１０３】
コンテンツホルダも、他のコンテンツホルダからのファン流入による販売増の可能性を得ることができる。
【０１０４】
また、上記商品販売システムにより、コンテンツホルダは、コンテンツビジネスを開始するにあたり、コンテンツビジネスシステムを自ら構築することなく、さらに余剰在庫や機会損失を生じさせるリスクを負うことなく、コンテンツビジネスを展開することができる。さらに、購入者は、自分の好みに合った画像をプリントした商品を発注することができる。
【０１０５】
上記実施形態において、所定時間内において販売サーバ２０への購入者端末装置４０からのアクセスが集中した場合には、アクセス制限部３１が販売サーバ２０へのアクセス制限を行ってもよい。これにより、特に、限定商品（プレミア商品）を販売する場合には、販売開始時に販売サーバ２０への注文アクセスが集中することがあり得るが、この場合に販売サーバ２０に係る負荷を軽減することができる。
【０１０６】
また、上記実施形態では、リンク元情報として画像１、２など各画像に対応したＵＲＬを用いたが、商品販売用ＨＰ１００にジャンプする前に閲覧していたホームページの管理者を解析し、その解析結果に基づいて画像の掲載順序を制御してもよい。
【０１０７】
例えば、商品販売用ＨＰ１００のトップ画面のファイルに、JavascriptなどのＷＷＷブラウザで利用可能なスクリプト言語で記載した画像の掲載順序を制御する掲載制御プログラムを組み込んでおく。この掲載制御プログラムは、商品販売ＨＰ１００において、画像の配置位置を動的に制御するプログラムである。
【０１０８】
また、図６のコンテンツホルダの登録画面８０において、リンク元となるファンサイトのＨＰのＵＲＬを予め登録しておく。これにより、ファンサイトのＨＰのＵＲＬとコンテンツホルダとを関連づけて格納することができる。
【０１０９】
次に、コンテンツホルダは、ファンサイトのリンクボタンに商品販売用ＨＰ１００のトップ画面のＵＲＬを組み込む。ユーザが、このリンクボタンをクリックして商品販売用ＨＰ１００にアクセスすると、解析部３２が、公知のリンク元解析技術（reverse access）を用いてリンク元のホームページのＵＲＬを解析する。解析部３２は、解析して得られたリンク元のホームページのＵＲＬを商品掲示部２７に出力する。掲載制御プログラムは、格納されたコンテンツホルダの登録情報を検索して、解析部３２から取得したリンク元のホームページのＵＲＬに対応するコンテンツホルダｉｄを取得し、さらにこのコンテンツホルダｉｄに関連する画像を検索する。そして、検索して得られた画像を商品販売ＨＰ１００の上位位置に掲載し、商品掲示部２７がその商品販売ＨＰ１００を購入者端末装置４０ａ、ｂに送信する。この実施例によれば、コンテンツホルダが誰かを問わず、販売サーバ２０は、販売用ＨＰ１００のトップ画面のＵＲＬを送信すればよい。
【０１１０】
なお、上記実施形態においては、デジタルコンテンツの例として画像（静止画）を用いたが、動画、音声でもよい。例えば、動画の１シーンを選んでプリントした商品の発注を行うようにしてもよいし、音声を用いた商品、例えば目覚まし時計などを販売してもよい。
【０１１１】
また、上記実施形態では、複数のデジタルコンテンツと、そのデジタルコンテンツを用いた複数の商品とを提示して、購入者にデジタルコンテンツ及び商品を選択させたが、デジタルコンテンツをプリントした商品のみを商品販売HPに掲載し、購入者に商品を選択させるように構成してもよい。
【０１１２】
更に、上記では商品販売システムに本発明を適用したが、本発明の適用例は上記に限らず、複数の情報提供者からの情報を一つのホームページ上に掲載する際の掲載順序を制御するホームページに適用することができる。
【０１１３】
例えば、オークションのトップ画面に複数の出品者からの情報を掲載する場合に、その出品者が管理する個人ホームページ（ブログなど）にオークショントップ画面を表示させるためのＵＲＬを組み込んだリンクを設けておく。そして、出品者の個人ホームページのリンクを介してオークションのトップ画面にアクセスしたときには、その出品者が出品している商品情報が上位位置に掲載されるように構成してもよい。
【０１１４】
また、複数の提供者が提供した画像を掲載したフォトギャラリーＨＰを用意し、各提供者が管理する個人ホームページからリンクをしてフォトギャラリーにアクセスした場合には、上記と同様、その提供者の画像をフォトギャラリーＨＰの上位位置に掲載するように構成してもよい。
【図面の簡単な説明】
【０１１５】
【図１】本発明に係る商品販売システム１を用いたコンテンツビジネスの概要を示す概要図
【図２】商品販売システム１の概要を示すブロック図
【図３】リンク元情報を示す模式図
【図４】商品販売システム１の処理の流れを示すフローチャート
【図５】ステップＳ１の準備処理の流れを示すフローチャート
【図６】コンテンツホルダ登録画面例
【図７】還元金登録画面例
【図８】登録される画像ファイルの例
【図９】商品登録画面例
【図１０】販売ルール登録画面例
【図１１】ステップＳ４の内容を示す画面遷移図
【図１２】ステップＳ８の内容を示す画面遷移図
【図１３】ステップＳ９の内容を示す画面遷移図
【図１４】ステップＳ９の内容を示す画面遷移図
【図１５】ステップＳ９の内容を示す画面遷移図
【図１６】限定販売処理の流れを示すフローチャート
【図１７】限定商品の販売数と現時点における残数を表示した画面表示例
【図１８】プリント成果物を示す模式図
【図１９】ステップＳ１３の内容を示す画面遷移図
【図２０】製造データ生成部２９が製造者端末装置５０に送信する電子メール例
【図２１】コンテンツホルダと販売サーバとの間の動作処理の流れを説明するシーケンス図
【図２２】購入者と販売サーバとの間の動作処理の流れを説明するシーケンス図
【図２３】掲載順序が制御された商品販売ＨＰを示す模式図
【符号の説明】
【０１１６】
１：商品販売システム、２：インターネット、１０a,b：提供者端末装置、２０：販売サーバ、４０a,b：購入者端末装置、５０：製造者端末装置
【図１】
2007087330.tif 000003
【図２】
2007087330.tif 000004
【図３】
2007087330.tif 000005
【図４】
2007087330.tif 000006
【図５】
2007087330.tif 000007
【図６】
2007087330.tif 000008
【図７】
2007087330.tif 000009
【図８】
2007087330.tif 000010
【図９】
2007087330.tif 000011
【図１０】
2007087330.tif 000012
【図１１】
2007087330.tif 000013
【図１２】
2007087330.tif 000014
【図１３】
2007087330.tif 000015
【図１４】
2007087330.tif 000016
【図１５】
2007087330.tif 000017
【図１６】
2007087330.tif 000018
【図１７】
2007087330.tif 000019
【図１８】
2007087330.tif 000020
【図１９】
2007087330.tif 000021
【図２０】
2007087330.tif 000022
【図２１】
2007087330.tif 000023
【図２２】
2007087330.tif 000024
【図２３】
2007087330.tif 000025